(57)【特許請求の範囲】
【請求項１】
動画データを記録する記録媒体と、動画の記録中に撮影された静止画データを一時的に記憶する記憶手段とを有し、該記憶手段に記憶された静止画データを動画記録終了後に前記記録媒体に記録する画像記録装置であって、
前記画像記録装置の電源をオン、オフする電源スイッチと、
前記電源スイッチによって前記画像記録装置本体の電源をオフする指示があったときに、前記記憶手段に前記静止画データが記憶されているかどうかを判別する判別手段と、
前記判別手段によって、前記記憶手段に前記静止画データが記憶されていると判別される場合に、前記記憶手段に記憶されている前記静止画データを前記記録媒体に記録するかどうかを使用者が選択可能な状態とする選択手段と、
前記選択手段によって、前記記憶手段に記憶されている前記静止画データを前記記録媒体に記録することが選択される場合には、前記静止画データを前記記録媒体に記録したのち前記電源をオフし、また、前記判別手段によって前記記憶手段に前記静止画データが記憶されていないと判別される場合、および前記選択手段によって前記記憶手段に記憶されている前記静止画データを前記記録媒体に記録しないことが選択される場合には前記静止画データを前記記録媒体に記録することなく前記電源をオフする制御手段とを有することを特徴とする画像記録装置。
【請求項２】
前記判別手段によって、前記記憶手段に前記静止画データが記憶されていると判別される場合に、前記記憶手段に記憶されている静止画データを表示するモニター用ディスプレイを有することを特徴とする請求項１記載の画像記録装置。
【請求項３】
動画データを記録する記録媒体と、動画の記録中に撮影された静止画データを一時的に記憶する記憶手段とを有し、該記憶手段に記憶された静止画データを動画記録終了後に前記記録媒体に記録する画像記録装置であって、
バッテリーの電力を前記画像記録装置のカメラ部、レコーダ部、モニター用ディスプレイにそれぞれ給電する電源回路と、
前記バッテリーの残量が所定量以下になったかどうかを検出する減電検出手段と、
前記減電検出手段によって、前記バッテリーの残量が所定量以下になったことが検出されたときに、前記記憶手段に前記静止画データが記憶されているかどうかを判別する判別手段と、
前記判別手段によって、前記記憶手段に前記静止画データが記憶されていると判別される場合には、前記カメラ部および前記モニター用ディスプレイへの給電を停止したのち、前記静止画データを前記記録媒体に記録して、前記レコーダ部への給電を停止し、また、前記判別手段によって前記記憶手段に前記静止画データが記憶されていないと判別される場合には、前記静止画データを前記記録媒体に記録することなく、前記カメラ部、前記レコーダ部、前記モニター用ディスプレイへの給電を停止する制御手段とを有することを特徴とする画像記録装置。
【請求項４】
動画データを記録する記録媒体と、動画の記録中に撮影された静止画データを一時的に記憶する記憶手段とを有し、該記憶手段に記憶された静止画データを動画記録終了後に前記記録媒体に記録する画像記録装置の制御方法であって、
前記画像記録装置本体の電源をオフする指示があったときに、前記記憶手段に前記静止画データが記憶されているかどうかを判別する判別ステップと、
前記判別ステップによって、前記記憶手段に前記静止画データが記憶されていると判別される場合に、前記記憶手段に記憶されている前記静止画データを前記記録媒体に記録するかどうかを使用者が選択可能な状態とする選択ステップと、
前記選択ステップによって、前記記憶手段に記憶されている前記静止画データを前記記録媒体に記録することが選択される場合には、前記静止画データを前記記録媒体に記録したのち前記電源をオフし、また、前記判別ステップによって前記記憶手段に前記静止画データが記憶されていないと判別される場合、および前記選択ステップによって前記記憶手段に記憶されている前記静止画データを前記記録媒体に記録しないことが選択される場合には、前記静止画データを前記記録媒体に記録することなく前記電源をオフする制御ステップを有することを特徴とする画像記録装置の制御方法。
【請求項５】
バッテリーの電力を前記画像記録装置のカメラ部、レコーダ部、モニター用ディスプレイにそれぞれ給電する電源回路と、動画データを記録する記録媒体と、動画の記録中に撮影された静止画データを一時的に記憶する記憶手段とを有し、該記憶手段に記憶された静止画データを動画記録終了後に前記記録媒体に記録する画像記録装置の制御方法であって、
前記バッテリーの残量が所定量以下になったかどうかを検出する減電検出ステップと、
前記減電検出ステップによって、前記バッテリーの残量が所定量以下になったことが検出されたときに、前記記憶手段に前記静止画データが記憶されているかどうかを判別する判別ステップと、
前記判別ステップによって、前記記憶手段に前記静止画データが記憶されていると判別される場合には、前記カメラ部および前記モニター用ディスプレイへの給電を停止したのち、前記静止画データを前記記録媒体に記録して、前記レコーダ部への給電を停止し、また、前記判別ステップによって前記記憶手段に前記静止画データが記憶されていないと判別される場合には、前記静止画データを前記記録媒体に記録することなく、前記カメラ部、前記レコーダ部、前記モニター用ディスプレイへの給電を停止する制御ステップを有することを特徴とする画像記録装置の制御方法。
【請求項６】
請求項４または５に記載の画像記録装置の制御方法をコンピュータに実行させるプログラムを記憶したことを特徴とするコンピュータ読み取り可能な記憶媒体。
【発明の詳細な説明】
【０００１】
【発明の属する技術分野】
本発明は、例えば撮像素子を用いて撮影して得られた画像信号を、動画記録及び静止画記録することができる画像記録装置及びその制御方法並びに記憶媒体に関するものである。
【０００２】
【従来の技術】
動画像をデジタルで記録する画像記録装置としてデジタルＶＴＲが知られている。近年、動画用のＶＴＲの機能を備えつつ、静止画モードも備え、動画の数フレームから百数十フレームに相当する期間に渡って磁気テープに静止画情報を記録し、安定した静止画を出力する装置も登場している。
【０００３】
上記画像記録装置では、静止画用シャッターを押すと一枚づつ静止画を画像メモリに取り込み、磁気テープに記録するようにしている。近年画像メモリの容量が増え、しかも安価になってきていることから複数枚の静止画を溜め込むことも容易になってきている。例えば動画を記録しながら静止画として残しておきたい場面はシャッターを押して何枚かメモリに記憶しておき、動画記録終了後に１枚の静止画当たり例えば５フレームづつ記録するといった機能を備えた画像記録装置も考えられる。
【０００４】
また、特開平７−第１２２０４８号公報にはビデオテープの内容を容易に知るためにビデオテープの少なくとも先頭部に予め余白領域を区画形成し、場面ごとに抜き出された画像データを格納するインデックス用記憶手段と、格納されている前記画像データを前記余白領域に記録する録画手段とを備えたデジタルＶＴＲが開示されている。
【０００５】
【発明が解決しようとする課題】
しかしながら、上記のような従来の画像記録装置においては、静止画がメモリに蓄えられているにもかかわらず、記録される前、例えば動画記録中に電源を落とす操作をしたり、バッテリーが少なくなって電源が落ちたりしてメモリに蓄えられた静止画データを消してしまう可能性が出てくるという問題点があった。
【０００６】
本発明は、上記のような問題点を解決するためになされたものであり、静止画データを記録媒体に記録する前に電源を落とす操作やバッテリーが少なくなって電源が落ちて一時的に記憶している静止画データを消滅させてしまうことのない画像記録装置及びその制御方法並びに記憶媒体を提供することを目的とする。
【０００７】
【課題を解決するための手段】
前記課題を解決するために、本発明の画像記録装置及びその制御方法並びに記憶媒体は次のように構成したものである。
【０００８】
（１）動画データを記録する記録媒体と、動画の記録中に撮影された静止画データを一時的に記憶する記憶手段とを有し、該記憶手段に記憶された静止画データを動画記録終了後に前記記録媒体に記録する画像記録装置であって、
前記画像記録装置の電源をオン、オフする電源スイッチと、
前記電源スイッチによって前記画像記録装置本体の電源をオフする指示があったときに、前記記憶手段に前記静止画データが記憶されているかどうかを判別する判別手段と、
前記判別手段によって、前記記憶手段に前記静止画データが記憶されていると判別される場合に、前記記憶手段に記憶されている前記静止画データを前記記録媒体に記録するかどうかを使用者が選択可能な状態とする選択手段と、
前記選択手段によって、前記記憶手段に記憶されている前記静止画データを前記記録媒体に記録することが選択される場合には、前記静止画データを前記記録媒体に記録したのち前記電源をオフし、また、前記判別手段によって前記記憶手段に前記静止画データが記憶されていないと判別される場合、および前記選択手段によって前記記憶手段に記憶されている前記静止画データを前記記録媒体に記録しないことが選択される場合には前記静止画データを前記記録媒体に記録することなく前記電源をオフする制御手段とを有することを特徴とする画像記録装置。
（２）動画データを記録する記録媒体と、動画の記録中に撮影された静止画データを一時的に記憶する記憶手段とを有し、該記憶手段に記憶された静止画データを動画記録終了後に前記記録媒体に記録する画像記録装置であって、
バッテリーの電力を前記画像記録装置のカメラ部、レコーダ部、モニター用ディスプレイにそれぞれ給電する電源回路と、
前記バッテリーの残量が所定量以下になったかどうかを検出する減電検出手段と、
前記減電検出手段によって、前記バッテリーの残量が所定量以下になったことが検出されたときに、前記記憶手段に前記静止画データが記憶されているかどうかを判別する判別手段と、
前記判別手段によって、前記記憶手段に前記静止画データが記憶されていると判別される場合には、前記カメラ部および前記モニター用ディスプレイへの給電を停止したのち、前記静止画データを前記記録媒体に記録して、前記レコーダ部への給電を停止し、また、前記判別手段によって前記記憶手段に前記静止画データが記憶されていないと判別される場合には、前記静止画データを前記記録媒体に記録することなく、前記カメラ部、前記レコーダ部、前記モニター用ディスプレイへの給電を停止する制御手段とを有することを特徴とする画像記録装置。
（３）動画データを記録する記録媒体と、動画の記録中に撮影された静止画データを一時的に記憶する記憶手段とを有し、該記憶手段に記憶された静止画データを動画記録終了後に前記記録媒体に記録する画像記録装置の制御方法であって、
前記画像記録装置本体の電源をオフする指示があったときに、前記記憶手段に前記静止画データが記憶されているかどうかを判別する判別ステップと、
前記判別ステップによって、前記記憶手段に前記静止画データが記憶されていると判別される場合に、前記記憶手段に記憶されている前記静止画データを前記記録媒体に記録するかどうかを使用者が選択可能な状態とする選択ステップと、
前記選択ステップによって、前記記憶手段に記憶されている前記静止画データを前記記録媒体に記録することが選択される場合には、前記静止画データを前記記録媒体に記録したのち前記電源をオフし、また、前記判別ステップによって前記記憶手段に前記静止画データが記憶されていないと判別される場合、および前記選択ステップによって前記記憶手段に記憶されている前記静止画データを前記記録媒体に記録しないことが選択される場合には、前記静止画データを前記記録媒体に記録することなく前記電源をオフする制御ステップを有することを特徴とする画像記録装置の制御方法。
（４）バッテリーの電力を前記画像記録装置のカメラ部、レコーダ部、モニター用ディスプレイにそれぞれ給電する電源回路と、動画データを記録する記録媒体と、動画の記録中に撮影された静止画データを一時的に記憶する記憶手段とを有し、該記憶手段に記憶された静止画データを動画記録終了後に前記記録媒体に記録する画像記録装置の制御方法であって、
前記バッテリーの残量が所定量以下になったかどうかを検出する減電検出ステップと、
前記減電検出ステップによって、前記バッテリーの残量が所定量以下になったことが検出されたときに、前記記憶手段に前記静止画データが記憶されているかどうかを判別する判別ステップと、
前記判別ステップによって、前記記憶手段に前記静止画データが記憶されていると判別される場合には、前記カメラ部および前記モニター用ディスプレイへの給電を停止したのち、前記静止画データを前記記録媒体に記録して、前記レコーダ部への給電を停止し、また、前記判別ステップによって前記記憶手段に前記静止画データが記憶されていないと判別される場合には、前記静止画データを前記記録媒体に記録することなく、前記カメラ部、前記レコーダ部、前記モニター用ディスプレイへの給電を停止する制御ステップを有することを特徴とする画像記録装置の制御方法。
（５）前記（３）または（４）に記載の画像記録装置の制御方法をコンピュータに実行させるプログラムを記憶したことを特徴とするコンピュータ読み取り可能な記憶媒体。
【００２４】
【発明の実施の形態】
（第１の実施例）
図１は第１の実施例による画像記録装置であるカメラ一体型ＶＴＲの構成を示すブロック図である。
【００２５】
図１において、１はレンズ群、２はＣＣＤ撮像素子、３はＣＣＤ撮像素子２からの信号を処理するカメラ信号処理回路であり、これらによりカメラ部が構成されている。４は動画あるいは静止画の記録フォーマットになるようデータを圧縮したり、圧縮されたデータを伸長して元の画像を作り出す画像圧縮伸長回路、５は圧縮データを記録媒体に記録したり再生したりする記録再生処理回路、６は磁気ヘッドを備えた回転ドラム、７は記録媒体としての磁気テープ、８は一時的に静止画データを記憶しておく記憶手段としての静止画メモリであり、これらによりレコーダ部が構成されている。
【００２６】
９は撮影時あるいは記録された動画や静止画をモニターするディスプレイ、１０はディスプレイ９に表示する画像を切り替えるモニタースイッチ、１１はカメラ一体型ＶＴＲ全体の電源をＯＮ、ＯＦＦする電源スイッチ、１２は動画あるいは静止画の記録やその他の再生操作を行う操作スイッチ、１３は静止画を記録するかどうかを選択する静止画記録選択スイッチ、１４はカメラ一体型ＶＴＲ全体のシステムをコントロールするシステムコントローラ、１５はカメラ一体型ＶＴＲ全体の電源を供給するバッテリー、１６はカメラ部、レコーダ部、モニター用ディスプレイ９の各部に適した電圧を作り出し、供給する電源回路である。なお、静止画メモリ８に記憶された静止画データは所定のタイミングで磁気テープ７に記録される。
【００２７】
図２は第１の実施例による電源ＯＦＦ処理動作を示すフローチャートであり、図２を用いて図１に示すように構成された画像記録装置における電源スイッチ１１にＯＦＦの指示があったときの動作を説明する。なお、本動作はシステムコントローラ１４内の不図示のＲＯＭに格納されているプログラムに基づいてシステムコントローラ１４内の不図示のＣＰＵにより実行される。また、電源ＯＦＦ以外の動作に関しては省略する。
【００２８】
画像記録装置の電源が入っていて、ある状態をＳＴＡＲＴ（ステップＳ１）とし、電源ＯＦＦの指示があるかどうかを判別する（ステップＳ２）。電源ＯＦＦの指示があった場合、静止画メモリ８に未記録（磁気テープ７に記録されていない）の静止画データが記憶されているかどうかを判別する（ステップＳ３）。静止画データが記憶されていなければシステムコントローラ１４からの指示で通常の電源ＯＦＦ処理を行い（ステップＳ４）、電源が切れる（ステップＳ５）。
【００２９】
また、ステップＳ３において静止画データが記憶されていた場合、静止画メモリ８の静止画データは、画像圧縮伸長回路４で伸長され、モニタースイッチ１０で選択されてディスプレイ９に表示される（ステップＳ６）。複数枚の静止画データが記憶されていた場合、ディスプレイ９には順に出力されたり、マルチ画面で表示される。
【００３０】
また静止画データを磁気テープ７に保存するか消して良いかを使用者に静止画記録選択スイッチ１３で判断させる。記録しない方の指示があった場合（ステップＳ７）、電源ＯＦＦ処理（ステップＳ４）に移行する。静止画データを記録する方の指示があった場合（ステップＳ７）、静止画メモリ８の静止画データは記録再生処理回路５を経由して回転ドラム６で磁気テープ７に記録される（ステップＳ８）。記録が終了すれば電源ＯＦＦ処理（ステップＳ４）に移行し、電源が切れる（ステップＳ５）。
【００３１】
このように本実施例では、動画データを記録媒体としての磁気テープ７に記録し、静止画データを一時的に静止画メモリ８に記憶しておき、静止画メモリ８の静止画データを所定のタイミングで磁気テープ７に記録し、静止画メモリ８に静止画データが記憶されているときに電源をＯＦＦする指示があった場合、前記静止画データを磁気テープ７に記録してから電源をＯＦＦする動作に入るか記録しないかを選択可能としたので、簡単な構成で動画記録中等に電源を落とす操作をしても静止画メモリに記憶された静止画データをユーザが確認することなく消滅させてしまうことはなくなる。
【００３２】
（第２の実施例）
図３は第２の実施例による電源ＯＦＦ処理動作を示すフローチャートである。なお、本フローチャートが適応される画像記録装置のブロック図は第１の実施例と同様、図１である。
【００３３】
一般的にカメラ一体型ＶＴＲの記録時の電源はバッテリーであり、バッテリー１５の容量（残量）が少なくなって電圧が下がってくると、電源回路１６、あるいはシステムコントローラ１４で減電が検出され、各部の動作を止め、電源が切れる動作に入る。図３のフローチャートでは減電が検出されたときの動作を説明する。なお、他の動作に関しては省略する。
【００３４】
画像記録装置がある状態をＳＴＡＲＴ（ステップＳ１１）とし、減電が検出されるかどうかを判別する（ステップＳ１２）。減電が検出された場合、静止画メモリ８に未記録の静止画データが記憶されているかどうかを判別する（ステップＳ１３）。
【００３５】
静止画データが記憶されていなければシステムコントローラ１４からの指示で通常の電源ＯＦＦ処理を行い（ステップＳ１４）、電源が切れる（ステップＳ１５）。ステップＳ１３において静止画データが記憶されていた場合、電源回路１６からの指示でカメラ信号系としての、ＣＣＤ撮像素子２、カメラ信号処理回路３、その他のカメラ部の電源をＯＦＦする。またディスプレイ９の電源もＯＦＦする（ステップＳ１６）。カメラ部とディスプレイ９の電源をＯＦＦすることによりバッテリー１５の消費を削減できる。
【００３６】
次に静止画メモリ８の静止画データが記録再生処理回路５から回転ドラム６で磁気テープ７に記録される（ステップＳ１７）。記録が終了すれば電源ＯＦＦ処理（ステップＳ１４）に移行し、記録系としてのレコーダ部の電源をＯＦＦし、電源が切れる（ステップＳ１５）。
【００３７】
このように本実施例では、静止画メモリ８に静止画データが記憶されているときにバッテリー１５の容量（残量）が少なくなった場合、モニター用ディスプレイ９とＣＣＤ撮像素子２を含むカメラ信号系の電源をＯＦＦし、前記静止画データを磁気テープ７に記録してから記録系の電源をＯＦＦする動作に入るようにしたので、簡単な構成で静止画データを消滅させてしまうことはなくなる。
【００３８】
なお、本発明は上記各実施例で説明した電源ＯＦＦ処理動作を実現させるためのプログラムを格納した記憶媒体としても実施することができる。
【００３９】
また、上記各実施例では動画記録媒体に磁気テープの例を述べたが、他の記録媒体であってもよい。
【００４０】
【発明の効果】
以上説明したように、本発明によれば、簡単な構成で静止画データを記録媒体に記録する前に、電源を落とす操作やバッテリーが少なくなって電源が落ちることによって記憶手段に一時的に記憶した静止画データを消滅させてしまうことがなくなるという効果がある。
【図面の簡単な説明】
【図１】  第１の実施例による画像記録装置の構成を示すブロック図
【図２】  第１の実施例による電源オフ処理動作を示すフローチャート
【図３】  第２の実施例による電源オフ処理動作を示すフローチャート
【符号の説明】
１  レンズ群
２  ＣＣＤ撮像素子
３  カメラ信号処理回路
４  画像圧縮伸長回路
５  記録再生処理回路
６  回転ドラム
７  磁気テープ（記録媒体）
８  静止画メモリ（記憶手段）
９  モニター用ディスプレイ
１０  モニタースイッチ
１１  電源スイッチ
１２  操作スイッチ
１３  静止画記録選択スイッチ
１４  システムコントローラ
１５  バッテリー
１６  電源回路
【図１】
0004289723.tif 000002
【図２】
0004289723.tif 000003
【図３】
0004289723.tif 000004